(57)【要約】      （修正有）【課題】書店等の書籍等の展示棚に配置され、書籍等の内容に関連する事業に携わる広告主に係る事項が記載されている広告文書提供具を提供する。【解決手段】広告文書提供具１は、基板１１と、その一面の下端側に開口部が上方を向くようにして並設された複数の容器部１２と、各々の容器部に収容された広告文書１６とを有し、書籍等の展示物の展示棚に配置されるものであって、広告文書には、展示物の内容に関連する事業に携わる広告主に係る事項が記載されている。また、基板１１の一面の上端側と容器部１２との間の容器部に対応する位置に更にポケット部１３が設けられ、このポケット部にも広告文書が収容されていることが好ましい。【選択図】図５
0003118734.tif 000002
【実用新案登録請求の範囲】
【請求項１】
基板と、該基板の一面の下端側に開口部が上方を向くようにして並設された複数の容器部と、各々の該容器部に収容された広告文書とを有し、書籍、コンパクトディスクソフト、デジタルバーサタイルディスクソフト、ビデオテープソフト、カセット式ゲームソフト及びカード式ゲームソフトのうちの少なくとも１種の展示物が展示されている展示棚に配置するための広告文書提供具であって、該広告文書には、該展示物の内容に関連する事業に携わる広告主に係る事項が記載されていることを特徴とする広告文書提供具。
【請求項２】
上記展示物が旅行に係るものであり、上記事業が、ホテル業、旅行代理業、旅客運輸業及び旅行関連の専門学校である請求項１に記載の広告文書提供具。
【請求項３】
上記展示物が料理に係るものであり、上記事業が、飲食業、食料品販売業及び料理関連の専門学校である請求項１に記載の広告文書提供具。
【請求項４】
上記展示物が自動車に係るものであり、上記事業が、自動車販売業、自動車修理業、自動車用品販売業及び自動車教習所である請求項１に記載の広告文書提供具。
【請求項５】
上記展示物がコンピューターソフトに係るものであり、上記事業が、インターネット接続業、家電製品販売業及びコンピューター関連の専門学校である請求項１に記載の広告文書提供具。
【請求項６】
上記展示物が住宅に係るものであり、上記事業が、建築業、賃貸住宅斡旋業及び住宅関連の専門学校である請求項１に記載の広告文書提供具。
【請求項７】
上記展示物がスポーツに係るものであり、上記事業が、各種スポーツ用品販売業、各種スポーツ催事業及び各種スポーツ教室である請求項１に記載の広告文書提供具。
【請求項８】
上記容器部のうち上記広告文書が収容されていない空き容器部がある場合に、該空き容器部に広告文書の収容を勧誘する勧誘文書が収容されている請求項１乃至７のうちのいずれか１項に記載の広告文書提供具。
【請求項９】
上記基板の上記一面の上端側と上記容器部との間の該容器部に対応する位置に更にポケット部が設けられ、該ポケット部に上記広告文書が収容されている請求項１乃至８のうちのいずれか１項に記載の広告文書提供具。
【請求項１０】
上記ポケット部の上端縁に上記広告文書を取り出すための切り込み部が設けられている請求項９に記載の広告文書提供具。
【請求項１１】
上記ポケット部に収容された上記広告文書が１枚である請求項９又は１０に記載の広告文書提供具。
【請求項１２】
上記ポケット部のうち対応する上記容器部に上記広告文書が収容されていない空き容器部がある場合に、該空き容器部に対応するポケット部に、広告文書の収容を勧誘する勧誘文書が収容されている請求項９乃至１１のうちのいずれか１項に記載の広告文書提供具。
【請求項１３】
隣り合う上記容器部が、それぞれの容器部間の隔壁を共有して連設されている請求項９乃至１２のうちのいずれか１項に記載の広告文書提供具。
【請求項１４】
上記容器部の個数が５〜１０個である請求項１３に記載の広告文書提供具。
【請求項１５】
上記基板の上端部に少なくとも２個のネジ用孔が設けられている請求項１４に記載の広告文書提供具。
【請求項１６】
上記ネジ用孔は、上記基板の一方の側端部及び他方の側端部にそれぞれ設けられている請求項１５に記載の広告文書提供具。
【請求項１７】
上記展示棚の棚板の前端面に、上記ネジ用孔を用いてネジ止めされて用いられる請求項１６に記載の広告文書提供具。
【請求項１８】
上記展示棚の上板の前端面に、上記ネジ用孔を用いてネジ止めされて用いられる請求項１６に記載の広告文書提供具。
【請求項１９】
上記基板の裏面に立設配置用の突出板が取り付けられている請求項１４に記載の広告文書提供具。
【請求項２０】
上記突出板は、上記基板の裏面の両側部に、該裏面の上端側から下端側に渡って取り付けられている請求項１９に記載の広告文書提供具。
【請求項２１】
上記基板の上方側に吊設用成形部を有する請求項１４に記載の広告文書提供具。
【請求項２２】
上記広告文書の平面寸法が名刺と同寸法である請求項１７乃至２１のうちのいずれか１項に記載の広告文書提供具。
【請求項２３】
上記勧誘文書の平面寸法が名刺と同寸法である請求項１７乃至２２のうちのいずれか１項に記載の広告文書提供具。
【請求項２４】
各々の上記容器部に収容された上記広告文書の上記広告主がそれぞれ異なっている請求項１７乃至２３のうちのいずれか１項に記載の広告文書提供具。
【考案の詳細な説明】
【技術分野】
【０００１】
本考案は、広告文書提供具に関する。更に詳しくは、本考案は、書店等の書籍及びコンパクトディスク等の展示物（以下、書籍等ということもある。）の展示棚に配置され、展示されている書籍等の内容に関連する事業に携わる広告主に係る事項が記載された広告文書を、書店等を訪れた客がみることができ、必要であれば気軽に持ち帰ることができる広告文書提供具に関する
本考案は、不特定多数の客が集まる書店等の書籍等の展示棚に配置して用いることができ、特定の内容の書籍等をみにきた客に、その内容に応じた広告が記載された広告文書をみてもらい、必要であれば持ち帰ってもらうことで、効率よく広告、宣伝をする場合等に利用することができる。
【背景技術】
【０００２】
従来より、多数の雑誌の中にあっても、目立たせることができ、臨時に展示する雑誌が増えても対応可能な書籍類展示棚用アタッチメントが提供されている。また、書店の新刊雑誌の展示棚あるいは駅の売店やコンビニエンスストアの雑誌棚に設置し、新刊雑誌の名前、値段、内容等の特記事項を記載したリーフレットを差し替え可能とした広告宣伝用の掲示具が提供されている。
【０００３】
更に、書籍を販売する商店内にある雑誌等に用いる書籍棚の最前列に広告宣伝用のスペースが設けられた広告機能を有する書籍棚が提供されている（例えば、特許文献１参照。）。また、この書籍棚では、広告を見た客が、その広告媒体を持ち帰ることができるように、板状物をポスト・ポケット形状として内部にハガキ等の持ち帰り可能な広告媒体を保持させてもよいと説明されている。更に、書店等における雑誌コーナーは、その内容に興味がある客が集まるので、その内容に関連した広告をすることができるとも説明されている。
【０００４】
【特許文献１】特開２００３−１２５８６４号公報
【考案の開示】
【考案が解決しようとする課題】
【０００５】
しかし、上記書籍類展示棚用アタッチメントは特に目立たせたい雑誌のためのアタッチメントであり、上記広告宣伝用の掲示具は新刊雑誌であることを広告宣伝するための掲示具であって、いずれも雑誌そのものの広告宣伝のためのものである。また、特許文献１の書籍棚では、板状物をポスト・ポケット形状として、保持された広告媒体を持ち帰り可能としても、通常は多くの種類の広告媒体を同時に持ち帰ることはできない。更に、すべての広告媒体が持ち帰られてしまうと、そのポスト・ポケットが何のためのものなのか分からなくなってしまうこともある。また、この板状物は、書籍棚に着脱自在に掛止させて用いることを特徴とするものである。
【０００６】
本考案は、上記実情に鑑みてなされたものであって、書店等の書籍等の展示棚に配置され、展示されている書籍等の内容に応じた広告主に係る事項が記載された広告文書を、書店等を訪れた客がみることができ、必要であれば気軽に持ち帰ることができる広告文書提供具を提供することを課題とする。
【課題を解決するための手段】
【０００７】
本考案は、以下のとおりである。
１．基板と、該基板の一面の下端側に開口部が上方を向くようにして並設された複数の容器部と、各々の該容器部に収容された広告文書とを有し、書籍、コンパクトディスクソフト、デジタルバーサタイルディスクソフト、ビデオテープソフト、カセット式ゲームソフト及びカード式ゲームソフトのうちの少なくとも１種の展示物が展示されている展示棚に配置するための広告文書提供具であって、該広告文書には、該展示物の内容に関連する事業に携わる広告主に係る事項が記載されていることを特徴とする広告文書提供具。
２．上記展示物が旅行に係るものであり、上記事業が、ホテル業、旅行代理業、旅客運輸業及び旅行関連の専門学校である上記１．に記載の広告文書提供具。
３．上記展示物が料理に係るものであり、上記事業が、飲食業、食料品販売業及び料理関連の専門学校である上記１．に記載の広告文書提供具。
４．上記展示物が自動車に係るものであり、上記事業が、自動車販売業、自動車修理業、自動車用品販売業及び自動車教習所である上記１．に記載の広告文書提供具。
５．上記展示物がコンピューターソフトに係るものであり、上記事業が、インターネット接続業、家電製品販売業及びコンピューター関連の専門学校である上記１．に記載の広告文書提供具。
６．上記展示物が住宅に係るものであり、上記事業が、建築業、賃貸住宅斡旋業及び住宅関連の専門学校である上記１．に記載の広告文書提供具。
７．上記展示物がスポーツに係るものであり、上記事業が、各種スポーツ用品販売業、各種スポーツ催事業及び各種スポーツ教室である上記１．に記載の広告文書提供具。
８．上記容器部のうち上記広告文書が収容されていない空き容器部がある場合に、該空き容器部に広告文書の収容を勧誘する勧誘文書が収容されている上記１．乃至７．のうちのいずれか１項に記載の広告文書提供具。
９．上記基板の上記一面の上端側と上記容器部との間の該容器部に対応する位置に更にポケット部が設けられ、該ポケット部に上記広告文書が収容されている上記１．乃至８．のうちのいずれか１項に記載の広告文書提供具。
１０．上記ポケット部の上端縁に上記広告文書を取り出すための切り込み部が設けられている上記９．に記載の広告文書提供具。
１１．上記ポケット部に収容された上記広告文書が１枚である上記９．又は１０．に記載の広告文書提供具。
１２．上記ポケット部のうち対応する上記容器部に上記広告文書が収容されていない空き容器部がある場合に、該空き容器部に対応するポケット部に、広告文書の収容を勧誘する勧誘文書が収容されている上記９．乃至１１．のうちのいずれか１項に記載の広告文書提供具。
１３．隣り合う上記容器部が、それぞれの容器部間の隔壁を共有して連設されている上記９．乃至１２．のうちのいずれか１項に記載の広告文書提供具。
１４．上記容器部の個数が５〜１０個である上記１３．に記載の広告文書提供具。
１５．上記基板の上端部に少なくとも２個のネジ用孔が設けられている上記１４．に記載の広告文書提供具。
１６．上記ネジ用孔は、上記基板の一方の側端部及び他方の側端部にそれぞれ設けられている上記１５に記載の広告文書提供具。
１７．上記展示棚の棚板の前端面に、上記ネジ用孔を用いてネジ止めされて用いられる上記１６に記載の広告文書提供具。
１８．上記展示棚の上板の前端面に、上記ネジ用孔を用いてネジ止めされて用いられる上記１６．に記載の広告文書提供具。
１９．上記基板の裏面に立設配置用の突出板が取り付けられている上記１４．に記載の広告文書提供具。
２０．上記突出板は、上記基板の裏面の両側部に、該裏面の上端側から下端側に渡って取り付けられている上記１９．記載の広告文書提供具。
２１．上記基板の上方側に吊設用成形部を有する上記１４．に記載の広告文書提供具。
２２．上記広告文書の平面寸法が名刺と同寸法である上記１７．乃至２１．のうちのいずれか１項に記載の広告文書提供具。
２３．上記勧誘文書の平面寸法が名刺と同寸法である上記１７．至２２．のうちのいずれか１項に記載の広告文書提供具。
２４．各々の上記容器部に収容された上記広告文書の広告主がそれぞれ異なっている上記１７．乃至２３．のうちのいずれか１項に記載の広告文書提供具。
【考案の効果】
【０００８】
本考案の広告文書提供具によれば、書籍等の展示棚に配置され、展示されている書籍等の内容に応じた事項が記載された広告文書を、書店等を訪れた客が容易にみることができ、持ち帰ることもできる。
また、書籍等の内容及び広告主が携わる事業が、前記の各種の内容及び事業である場合は、興味を持つ人も多く、より多くの客に広告文書を提供することができる。
更に、容器部のうち広告文書が収容されていない空き容器部があるときに、空き容器部に広告文書の収容を勧誘する勧誘文書が収容されている場合は、空き容器部があることが確認し易く、広告文書の収容を希望する広告主の獲得が容易である。
また、基板の一面の上端側と容器部との間の容器部に対応する位置に更にポケット部が設けられ、ポケット部に広告文書が収容されている場合、及びポケット部に収容された広告文書が１枚である場合は、容器部に収容されていた広告文書がすべて持ち帰られても、ポケット部に収容された広告文書が広告として機能する。
更に、ポケット部の上端縁に広告文書を取り出すための切り込み部が設けられている場合は、広告文書の収容及び取り出し、特に取り出しが容易になる。
また、ポケット部のうち対応する容器部に広告文書が収容されていない空き容器部があるときに、空き容器部に対応するポケット部に、広告文書の収容を勧誘する勧誘文書が収容されている場合は、空き容器部があることが確認し易く、広告文書の収容を希望する広告主の獲得が容易である。
更に、隣り合う容器部が、それぞれの容器部間の隔壁を共有して連設されている場合は、同寸法であるときに、より多くの容器部等を設けることができ、より多くの広告文書を提供することができる。
また、容器部の個数が５〜１０個である場合は、異なった広告主の多くの広告文書を収容することができ、且つ提供することができる。
更に、基板の上端部に少なくとも２個のネジ用孔が設けられている場合は、このネジ用孔を用いて広告文書提供具を書籍等の展示棚の所定位置に固定して使用することができる。
また、ネジ用孔が、基板の一方の側端部及び他方の側端部にそれぞれ設けられている場合は、広告文書提供具を所定位置により安定して固定することができる。
更に、展示棚の棚板の前端面に、ネジ用孔を用いてネジ止めされて用いられる場合は、客が広告文書提供具の存在に気付き易く、収容された広告文書の持ち帰りも容易である。
また、展示棚の上板の前端面に、ネジ用孔を用いてネジ止めされて用いられる場合は、客が広告文書提供具の存在により気付き易く、収容された広告文書の持ち帰りも容易である。
更に、基板の裏面に立設配置用の突出板が取り付けられている場合は、広告文書提供具を、展示されている書籍等の周辺に載置して用いることができる。
また、突出板が、基板の裏面の両側部に、裏面の上端側から下端側に渡って取り付けられている場合は、広告文書提供具を書籍等の周辺に安定して載置することができる。
更に、基板の上方側に吊設用成形部を有する場合は、展示棚に、例えば、吊設用バー等を取り付け、この吊設用バー等に広告文書提供具を吊設させて用いることができる。
また、広告文書の平面寸法が名刺と同寸法である場合は、財布、ポケット等に収納して容易に持ち帰ることができる。
更に、勧誘文書の平面寸法が名刺と同寸法である場合は、同寸の容器部等を有する広告文書提供具の容器部等に容易に収容することができる。
また、各々の容器部に収容された広告文書の広告主がそれぞれ異なっている場合は、より多くの異なる事業に携わる広告主の広告文書を持ち帰ることができる。
【考案を実施するための最良の形態】
【０００９】
以下、本考案を、例えば、図１〜１１を用いて詳しく説明する。
本考案の広告文書提供具１は、基板１１と、基板１１の一面の下方側に開口部が上方を向くようにして並設された複数の容器部１２と、容器部１２に収容された広告文書１３とを有し、書籍、コンパクトディスクソフト（ＣＤソフト）、デジタルバーサタイルディスクソフト（ＤＶＤソフト）、ビデオテープソフト、カセット式ゲームソフト及びカード式ゲームソフトのうちの少なくとも１種の展示物が展示されている展示棚に配置するための広告文書提供具であり、広告文書には書籍等の内容に関連する事業に携わる広告主に係る事項が記載されている。
【００１０】
上記「基板１１」は板状体である。その平面形状は特に限定されず、正方形、長方形及び台形等の多角形並びに円形及び楕円形等とすることができる。多角形の場合、角部が丸められていてもよい。基板１１の寸法も特に限定されないが、書籍等の展示棚の棚板などに固定して用いる、展示棚に展示された書籍等の周辺に載置する、などの使用方法を考慮すれば、最大寸法が２００〜６００ｍｍ、特に２５０〜５００ｍｍであることが好ましい。この基板としては、平面形状が長方形又は正方形であり、縦方向の寸法が２００〜４００ｍｍ、特に２５０〜３５０ｍｍ、横方向の寸法が３００〜７００ｍｍ、特に３５０〜６５０ｍｍである板状体が好ましい。
【００１１】
また、基板１１の厚さも特に限定されず、材質と所要強度等とを勘案して所定厚さとすることができる。本考案の広告文書提供具１では、容器部１２等には軽量な広告文書１３等が収容されるのみであるため、大きな強度は必要ではなく、基板の厚さは０．５〜４．０ｍｍとすることができ、特に１．０〜３．０ｍｍとすることが好ましい。
【００１２】
基板１１の材質も特に限定されず、合成樹脂、金属及び木材等を用いることができる。合成樹脂としては、アクリル樹脂、ポリカーボネート、ポリアミド、ポリオレフィン等が挙げられる。金属としては、アルミニウム、ステンレス鋼等が挙げられる。これらのうちでは、軽量で、優れた外観を有し、且つ十分な強度を有する広告文書提供具とすることができる合成樹脂が好ましい。また、合成樹脂のうちでは、透明性が高いアクリル樹脂及びポリカーボネートが特に好ましい。これらの合成樹脂を使用すれば、透明性が高く、優れた外観を有する広告文書提供具とすることができ、容器部等に収容された広告文書等を外部から容易に視認することができる。
【００１３】
上記「容器部１２」は、基板１１の一面の下方側に開口部が上方を向くようにして並設されている。この容器部１２の形状は特に限定されないが、広告文書１３の収容と取り出しとを考慮すると、直方体、特に上下方向の寸法が大きい直方体であることが好ましい。容器部１２の寸法も特に限定されず、基板の形状及び寸法、容器部の並設数、収容される広告文書の形状、寸法及び枚数等により、設定することができる。容器部１２の材質も特に限定されず、基板の場合と同様に、合成樹脂、金属及び木材等を用いることができる。合成樹脂及び金属としては、前記の基板のときと同様のものを用いることができる。容器部の材質は基板の材質と同じであってもよく、異なっていてもよいが、同材質であることが好ましい。同材質である場合、合成樹脂であることが好ましく、透明性が高いアクリル樹脂及びポリカーボネートであることが特に好ましい。
【００１４】
容器部は、基板と一体に成形されたものでもよく、基板とは別体の容器部用部材を、合成樹脂からなる場合は、接着剤による接合及び熱融着等により、金属からなる場合は、溶接等により、木材からなる場合は、接着剤による接合及び釘、ネジ等による固定等により、一体に形成したものでもよい。
【００１５】
基板１１の一面の下方側に並設されている容器部１２の並設数は特に限定されず、広告文書提供具全体の大きさと、容器部１２に収容される広告文書１３の寸法等を勘案して設定することができる（図１、４参照）。並設数を多くすれば、広告文書の種類も多くすることができ、より多くの種類の広告文書を提供することができるが、過多であると、広告文書提供具全体の寸法、特に横方向の寸法が過大となり、客が書籍等をみるときの妨げとなることがある。この容器部１２の並設数は５〜１０個であることが好ましく、６〜８個であることが特に好ましい。容器部の並設数が５〜１０個であれば、広告文書提供具全体の大きさが過大にならず、且つ種類の異なる多くの広告文書を提供することができる。
【００１６】
容器部１２は基板１の一面に横方向に並設される。各々の容器部の間は密接していてもよく、離間していてもよいが、密接していることが好ましい。密接させることで広告文書提供具１の横方向の寸法を小さくすることができ、客が書籍等をみるときの妨げとならないため好ましい。また、隣り合う容器部１２は、それぞれの容器部間の隔壁１２３を共有して連設されていることがより好ましい。隔壁を共有しておれは、広告文書提供具の横方向の寸法をより小さくことができる。
【００１７】
容器部１２には上記「広告文書１６」が収容されている（図１、２及び３参照）。この広告文書１６には、展示されている書籍等の内容に関連する事業に携わる広告主に係る事項が記載されている。このように、特定の分野に興味のある客が、その分野の書籍等をみにきたときに、書籍等が展示されている展示棚に配置されている広告文書提供具１の容器部１２に収容されている広告文書１６を手に取って内容を確認することができ、必要であれば持ち帰ることもできる。そのため、特定の分野に興味のある客が、その分野に関連する特定の広告文書を容易に入手することができ、大きな宣伝効果が期待される。
【００１８】
上記「広告主に係る事項」は、特に限定されず、各種の事項が挙げられる。この事項としては、広告主の名称、住所、電話番号、ファクシミリ番号、主たる事業形態等が挙げられる。また、これらの必要最小限の情報の他、正社員、時給社員、アルバイト等の求人募集、販売業であれば商品紹介、サービス業であれば業態の紹介、各種専門学校等であれば学生募集、スイミングスクール等のスポーツ教室であれば会員募集などが挙げられる。
【００１９】
書籍等の内容と、それに関連する事業としては、例えば、以下の内容と事業とが挙げられる。
書籍等が旅行に係るものであるときは、事業としては、ホテル業、旅行代理業、鉄道、バス、タクシー等の旅客運輸業及び旅行関連の専門学校などが挙げられる。
書籍等が料理に係るものであるときは、事業としては、レストラン、ファーストフード店等の飲食業、スーパーマーケット、個人商店等の食料品販売業及び料理関連の専門学校などが挙げられる。
書籍等が自動車に係るものであるときは、事業としては、新車及び中古車の販売、車検手続代理等の自動車販売業、板金、塗装、車検手続代理等の自動車修理業、タイヤ、塗料、内装品等の自動車用品販売業及び自動車教習所などが挙げられる。
【００２０】
書籍等がコンピューターソフトに係るものであるときは、事業としては、一般にプロバイダーと称されるインターネット接続業、コンピューターソフトの販売コーナー等を有する家電製品販売業及びコンピューター関連の専門学校などが挙げられる。
書籍等が住宅に係るものであるときは、事業としては、新築、リフォーム等の建築業、アパート、賃貸マンション等の賃貸住宅斡旋業及び住宅関連の専門学校などが挙げられる。  書籍等がスポーツに係るものであるときは、事業としては、各種スポーツ用品販売業、野球、サッカー、テニス等の各種スポーツ催事業及びスイミングスクール、エアロビックス教室等の各種スポーツ教室などが挙げられる。
【００２１】
広告文書１６の平面寸法は特に限定されないが、広告文書提供具１が過大とならないように、名刺と同寸法からＢ６版までの大きさであることが好ましい。この広告文書の平面寸法は、記載された事項にもよるが、名刺と同寸法であることが好ましい。名刺と同寸法であれば、所要事項は十分に記載することができ、且つ財布、ポケット等に収納して容易に持ち帰ることができる。また、各々の容器部１２に収容された広告文書１６の広告主は同じであってもよく、異なっていてもよいが、それぞれ異なっていることが好ましい。広告主が異なっておれば、多くの種類の広告文書を提供することができる。
【００２２】
本考案の広告文書提供具１では、並設された複数の容器部１２のすべてに広告文書１３が収容されていることが好ましいが、広告主がなく容器部が空いてしまうこともある。このように広告文書が収容されていない空き容器部１２１がある場合は、この空き容器部１２１に広告文書の収容を勧誘する勧誘文書１７が収容されていることが好ましい（図１、２及び４参照）。この勧誘文書１７は１枚のみでもよく、複数枚でもよいが、通常、１枚で十分である。勧誘文書の持ち帰りが想定されるときは、複数枚の勧誘文書が収容されていることが好ましい。
【００２３】
広告文書提供具１は、基板１と、容器部１２とを有するが、基板の一面の上端側と容器部との間の容器部に対応する位置に更に上記「ポケット部１３」が設けられていることが好ましい（図５、６等参照）。このポケット部１３には容器部１２に収容されている広告文書１６と同様の広告文書が収容されている。ポケット部１３に収容されている広告文書１６は、容器部１２に収容されている広告文書１６と同一のものを想定しているが、広告の趣旨が同じであれば、文章表現の相違等があってもよい。更に、ポケット部に収容された広告文書の枚数は特に限定されず、１枚でも複数枚でもよいが、通常、１枚でよい。ポケット部に広告文書を収容させる目的は、容器部１２に収容されていた広告文書１６がすべて持ち帰られてしまった場合でも、ポケット部１３に収容された広告文書１６により広告を継続させるためであり、この目的は１枚で十分に達せられる。
【００２４】
ポケット部１３は、基板１１の一面の上端側と容器部１２との間の容器部に対応する位置に設けられる。従って、容器部と同様に並設され、並設数は容器部と同数である。また、上方に向いた開口部を有し、この開口部から広告文書１６等が収容される。このポケット部１３の平面形状は特に限定されないが、広告文書の収容と取り出しとを考慮すると、長方形、特に上下方向の寸法が大きい長方形であることが好ましい。
【００２５】
ポケット部１３の寸法も特に限定されず、収容される広告文書１６等の寸法などにより設定することが好ましい。このポケット部１３の平面方向の寸法のうち横方向の寸法は容器部１２の平面方向の寸法と同一であることが好ましい。このように同一の寸法であれば、同一寸法の広告文書１６を容易に収容させることができる。更に、縦方向の寸法は広告文書１６の寸法等により設定することができる。ポケット部１３の縦方向の寸法は、広告文書１６等の収容及び取り出し、特に取り出しの際の作業のし易さを考慮すると、広告文書の縦方向の寸法より少し小さいことが好ましい。また、広告文書の縦方向の寸法以上とし、ポケット部１３の上端縁に切り欠き部１３１を設けて広告文書１６の収容及び取り出しの作業を容易にすることもできる。更に、ポケット部に収容される広告文書は多くても数枚、通常、１枚であるため、厚さは薄くてよく、１枚の広告文書を容易に収容することができる厚さであってもよい。
【００２６】
ポケット部１３の材質も特に限定されず、基板１１及び容器部１２の場合と同様に、合成樹脂、金属及び木材等を用いることができる。合成樹脂及び金属としては、前記の基板のときと同様のものを用いることができる。ポケット部１３の材質は基板１１及び容器部１２の材質と同じであってもよく、異なっていてもよいが、同材質であることが好ましい。同材質である場合、合成樹脂であることが好ましく、透明性が高いアクリル樹脂及びポリカーボネートであることが特に好ましい。即ち、基板１１、容器部１２及びポケット部１３のすべての材質が、透明性が高いアクリル樹脂及びポリカーボネートであることが特に好ましい。
【００２７】
また、容器部１２のすべてに広告文書が収容されていることが好ましいが、前記のように、広告主がなく容器部１２が空いてしまうこともある。このように空き容器部１２１がある場合、この空き容器部１２１に対応する空きポケット部１３２に、広告文書１６の収容を勧誘する勧誘文書１７を収容することもできる（図５、８及び１０参照）。この勧誘文書は１枚のみでもよく、複数枚でもよいが、特に空きポケット部１３２に勧誘文書１７を収容するときは、通常、１枚のみでよい。この場合、勧誘文書の持ち帰りが想定されるときは、複数枚の勧誘文書を空きポケット部１３２に収容しておけばよい。
尚、勧誘文書１７は、空き容器部１２１及び空きポケット部１３２の両方に収容しておいてもよい。
【００２８】
勧誘文書１７の平面寸法及び形状は特に限定されないが、広告文書提供具１が過大とならないように、平面が長方形であり、且つ名刺と同寸法からＢ６版までの大きさであることが好ましい。この勧誘文書１７の平面寸法及び形状は広告文書１６の平面寸法及び形状と同じであることがより好ましい。広告文書１６と勧誘文書１７の平面寸法及び形状が同じであれば、容器部１２（空き容器部１２１）及びポケット部１３（空きポケット部１３２）への収容が容易である。また、勧誘文書の平面寸法及び形状は、記載された事項にもよるが、広告文書と同様に名刺と同寸法であることが特に好ましい。勧誘文書は持ち帰りは想定していないが、持ち帰る客がいた場合に、名刺と同寸法であれば、財布、ポケット等に収納して容易に持ち帰ることができる。
【００２９】
本考案の広告文書提供具１は、書店等の書籍２等の展示棚３に配置して用いることができる。配置方法は特に限定されず、展示棚の所定位置に固定してもよいし、展示されている書籍等の周辺に載置してもよいし、展示棚に、例えば、吊設用バー等を取り付け、この吊設用バー等に広告文書提供具を吊設させてもよい。
【００３０】
広告文書提供具１を書籍２等の展示棚３に固定する場合、固定方法は特に限定されず、展示棚にネジ止めする、及び接着剤により展示棚に接合する、等の方法が挙げられる。これらのうちでは、確実に固定することができ、落下のおそれのないネジ止めが好ましい。ネジ止めするときは、基板１１の上端部に少なくとも２個のネジ用孔１１１を設けることが好ましく、このネジ用孔１１１を、基板１１の一方の側端部及び他方の側端部にそれぞれ設けることがより好ましい。これにより、広告文書提供具が揺動することなく、安定して固定することができる。広告文書提供具を展示棚にネジ止めする位置も特に限定されず、客が書籍等をみるときに妨げとならない位置であればよい。このネジ止め位置としては、例えば、展示棚３の棚板の前端面３１（図７参照）、及び展示棚の上板の前端面が挙げられる。このように、展示棚の棚板及び上板の前端面にネジ止めすれば、客の目に止まり易く、効率よく広告文書を提供することができる。
【００３１】
広告文書提供具１を展示されている書籍等の周辺に載置する場合、載置方法は特に限定されず、広告文書提供具が転倒することなく、載置することができればよい。この載置方法としては、基板の裏面に立設配置用の突出板１４（図８、９参照）を取り付け、この突出板により、立設させ、配置する方法等が挙げられる。この突出板は、基板の裏面の両側部に、裏面の上端側から下端側に渡って取り付けられていることが好ましく、これにより広告文書提供具が容易に転倒することがなく好ましい。
【００３２】
広告文書提供具１を展示棚に吊設する場合、吊設方法は特に限定されず、広告文書提供具が揺動することなく、吊設することができればよい。この吊設方法としては、基板の上方側に形成した吊設用成形部１５（図１０、１１参照）を用いる方法、基板の上方側に取り付けられた吊設用具を用いる方法等が挙げられる。これらのうちでは、基板の上方側に一体に形成された吊設用成形部を用いる方法が好ましい。この成形部により、例えば、展示棚に取り付けられた吊設用バー等に吊設することにより、広告文書提供具が揺動等することなく、安定して吊設することができる。尚、図１０、１１では吊設用成形部１５とともに突出板１４が図示されているが、これは広告文書提供具１を吊設したときに傾斜させることができ、広告文書の取り出し等が容易になるため取り付けているもので、この突出板１４は取り付けられていなくてもよい。
【実施例】
【００３３】
以下、実施例によって本考案を具体的に説明する。
実施例１
［１］基板及び容器部の形成
厚さ２ｍｍのアクリル樹脂板を用いて、基板１１と、この基板１１の一面の下端側に並設された複数の容器部１２と、この容器部１２に収容された名刺と同じ平面寸法の広告文書１６と、を有する広告文書提供具１を作製した。
基板１１は縦方向２８０ｍｍ、横方向４５０ｍｍの長方形である。この基板１１の一方の長辺を下端として基板の一面に７個の容器部１２を設けた。容器部１２の内寸は、縦方向６３ｍｍ、横方向６２ｍｍ、奥行２２ｍｍである。また、基板１１の横方向の両端部の側壁１２２及び６枚の隔壁１２３により７個の容器部１２を形成した。隣り合う容器部１２はそれぞれの容器部間の隔壁１２３を共有している。
【００３４】
［２］ポケット部の形成
基板１１の上端と容器部１２の上端との間にポケット部１３を形成した。このポケット部１３は厚さ５００μｍのアクリルシートを用いて形成した。内寸は横方向５９ｍｍ、縦方向９１ｍｍであり、縦方向は名刺の縦方向の寸法と同じであるため、広告文書の収容及び取り出し、特に取り出しの際の作業を容易にするため、上端縁の横方向の中央部に半径１０ｍｍの半円状の切り欠き部１３１を設けた。
【００３５】
［３］広告文書の収容
名刺と同じ寸法の上質紙の一面に、スイミングスクール、スポーツジム及び各種スポーツ企画に携わる広告主に係る事項、具体的には、会員募集、従業員募集、チケット販売及びツアー参加者募集、を記載した広告文書１６を作成した。そして、広告文書提供具１に向かって左側から６個の容器部１２にそれぞれ異なる広告主の広告文書１６を各々５０枚収容した。右側の１個の容器部１２は空き容器部１２１である。また、各々の容器部１２に対応するポケット部１３にも、広告文書提供具１に向かって左側から６個のポケット部１２にそれぞれ異なる広告主の広告文書１６を各々１枚収容した。更に、空き容器部１２１に対応する空きポケット部１３２には勧誘文書１７を１枚収容した。
このようにして広告文書提供具１（図５、６参照）を作製した。
【００３６】
［４］書籍の展示棚への固定
上記［３］で作製した広告文書提供具１を、基板１１の上端部の一方の側端部及び他方の側端部に設けられた２個のネジ用孔１１１を用いて、スポーツ関連の書籍２の展示棚３の棚板の前端面３１にネジ止めして固定した（図７参照）。このようにして、スポーツ関連の書籍に興味を持って訪れた客に、スイミングスクール、スポーツジム及び各種スポーツ催事業を広告主とする広告文書１６を提供した。
【図面の簡単な説明】
【００３７】
【図１】基板と、７個の容器部とを備える広告文書提供具の斜視図である。
【図２】図１の広告文書提供具の正面図である。
【図３】図１の広告文書提供具の側面図である。
【図４】基板と、３個の容器部とを備える広告文書提供具の斜視図である。
【図５】基板と、７個の容器部と、７個のポケット部とを備える広告文書提供具の斜視図である。
【図６】図５の広告文書提供具の側面図である。
【図７】図５の広告文書提供具が展示棚の棚板の前端面にネジ止めされている様子を示す斜視図である。
【図８】基板と、７個の容器部と、７個のポケット部と、立設配置用の突出板とを備える広告文書提供具の斜視図である。
【図９】図８の広告文書提供具の側面図である。
【図１０】基板と、７個の容器部と、７個のポケット部と、吊設用成形部とを備える広告文書提供具の斜視図である。
【図１１】図１０の広告文書提供具の側面図である。
【符号の説明】
【００３８】
１；広告文書提供具、１１；基板、１１１；ネジ用孔、１１１ａ；ネジ、１１２；吊設用成形部、１２；容器部、１２１；空き容器部、１２２；側壁、１２３；隔壁、１３；ポケット部、１３１；切り欠き部、１３２；空きポケット部、１４；立設配置用の突出板、１５；吊設用成型部、１６；広告文書、１７；勧誘文書、２；書籍、３；展示棚、３１；棚板の前端面。
【図１】
0003118734.tif 000003
【図２】
0003118734.tif 000004
【図３】
0003118734.tif 000005
【図４】
0003118734.tif 000006
【図５】
0003118734.tif 000007
【図６】
0003118734.tif 000008
【図７】
0003118734.tif 000009
【図８】
0003118734.tif 000010
【図９】
0003118734.tif 000011
【図１０】
0003118734.tif 000012
【図１１】
0003118734.tif 000013